(57)【要約】【課題】ユーザーのワンアクションで再送用メッセージを簡単に準備するまたは準備して再送信することができるメッセージ送受信アプリケーションソフトウェアを提供する。【解決手段】メッセージ送受信アプリケーションソフトウェアは、ユーザー端末において送信済みメッセージが選択されて再送ボタンが操作されたか否かを判定する再送操作有無判定ステップＳ１と、再送ボタンが操作されたとき、選択された送信済みメッセージのメッセージ本文データ、件名データ、宛先データ、添付ファイルデータを利用して新たに再送用メッセージを作成する再送用メッセージ作成ステップＳ２と、再送用メッセージを送信する再送信ステップＳ４とをユーザー端末に実行させる構成である。【選択図】図２
2020187402.tif 000002
【特許請求の範囲】
【請求項１】
ユーザー端末と他の端末との間でメッセージデータを送受信するメッセージ送受信アプリケーションソフトウェアであって、
前記ユーザー端末において送信済みメッセージが選択されて再送ボタンが操作されたか否かを判定する再送操作有無判定ステップと、
前記再送ボタンが操作されたとき、選択された送信済みメッセージのメッセージ本文データ、件名データ、宛先データ、添付ファイルデータを利用して新たに再送用メッセージを作成する再送用メッセージ作成ステップと、
前記再送用メッセージを送信する再送信ステップとをユーザー端末に実行させる構成であることを特徴とするメッセージ送受信アプリケーションソフトウェア。
【請求項２】
前記再送用メッセージ作成ステップにおいて、転送ボタンが操作されたときの転送メッセージ作成処理を実行し、メッセージ本文データにおける送信済みメッセージの送信元情報、送信日時情報、件名情報および宛先情報についての削除を実行するとともに、件名データにおける転送を意味する文字情報についての削除を実行する構成であることを特徴とする請求項１に記載のメッセージ送受信アプリケーションソフトウェア。
【請求項３】
前記再送用メッセージ作成ステップにおいて、返信ボタンが操作されたときの返信メッセージ作成処理を実行し、メッセージ本文データにおける送信済みメッセージの送信元情報、送信日時情報および引用の旨の情報表示についての削除を実行するとともに、件名データにおける返信を意味する文字情報についての削除を実行する構成であることを特徴とする請求項１に記載のメッセージ送受信アプリケーションソフトウェア。
【請求項４】
前記再送用メッセージ作成ステップにおいて、選択された送信済みメッセージのメッセージ本文データ、件名データ、宛先データ、添付ファイルデータをそれぞれコピーして再送用メッセージのメッセージ本文データ、件名データ、宛先データ、添付ファイルデータとしてそれぞれペーストを実行する構成であることを特徴とする請求項１に記載のメッセージ送受信アプリケーションソフトウェア。
【請求項５】
前記再送用メッセージ作成ステップの後に、再送用メッセージについて送信ボタンが操作されたか否かを判定する送信操作有無判定ステップをさらに有し、
前記再送信ステップにおいて、送信ボタンが操作されたとき、再送用メッセージを送信する構成であることを特徴とする請求項１乃至請求項４のいずれか１つに記載のメッセージ送受信アプリケーションソフトウェア。
【請求項６】
前記再送用メッセージ作成ステップにおいて、選択された送信済みメッセージがスレッド形式で表示されている場合、複数のメッセージのうち最初に送信された送信済みメッセージのメッセージ本文データ、件名データ、宛先データ、添付ファイルデータを利用して新たに再送用メッセージを作成する構成であることを特徴とする請求項１乃至請求項５のいずれか１つに記載のメッセージ送受信アプリケーションソフトウェア。
【請求項７】
ユーザー端末と他の端末との間で同一の相手と同一のウィンドウで対話する形式のチャットのメッセージデータを送受信するメッセージ送受信アプリケーションソフトウェアであって、
前記ユーザー端末において送信済みメッセージが選択されて再送ボタンが操作されたか否かを判定する再送操作有無判定ステップと、
前記再送ボタンが操作されたとき、選択された送信済みメッセージのメッセージデータを利用して新たに再送用メッセージを作成する再送用メッセージ作成ステップと、
前記再送用メッセージを送信する再送信ステップとをユーザー端末に実行させる構成であることを特徴とするメッセージ送受信アプリケーションソフトウェア。
【請求項８】
ユーザー端末と他の端末との間でメッセージデータを送受信するメッセージ送受信アプリケーションソフトウェアであって、
前記ユーザー端末である人工知能スピーカ端末において送信済みメッセージが指定されてメッセージ再送の旨が入力されたか否かを判定する再送指示入力有無判定ステップと、
前記メッセージ再送の旨が入力されたとき、指定された送信済みメッセージのメッセージデータを利用して新たに再送用メッセージを作成する再送用メッセージ作成ステップと、
前記再送用メッセージを送信する再送信ステップとを人工知能スピーカ端末に実行させる構成であることを特徴とするメッセージ送受信アプリケーションソフトウェア。
【発明の詳細な説明】
【技術分野】
【０００１】
本発明は、ユーザー端末と他の端末との間でメッセージデータを送受信するメッセージ送受信アプリケーションソフトウェアに関する。
【背景技術】
【０００２】
従来、メールアカウントを共有する複数のメールクライアントに接続され、メールクライアントの操作を検知して操作フラグを記憶する手段と、メールクライアントの他の操作を検知して、検知した操作と記憶したフラグとに基づいて、メールクライアントに通知を送信する通知手段とを備えたメール文書配信管理システムが知られている（例えば、特許文献１）。
【先行技術文献】
【特許文献】
【０００３】
【特許文献１】特開２０１７−０４５３４５号公報（特に、段落０００７、段落００１８参照）
【発明の概要】
【発明が解決しようとする課題】
【０００４】
しかしながら、上述した従来のメール文書配信管理システムは、送信済みメールを再送信する場合、送信済みメールのデータを新たなメールウィンドウに手動によってコピーアンドペーストで複製しながら編集して再送用メールを作成する、または、送信済みメールに対して転送メール作成処理をしてから編集して体裁を整えて再送用メールと作成する、または、送信済みメールに対して返信メール作成処理をしてから編集して体裁を整えて再送用メールを作成しなければならない構成であったため、再送用メールを作成するための編集作業が煩わしいという問題や、コピーアンドペーストを間違えたり、体裁が上手く整わなかったりという編集ミスが発生してしまう問題があった。
【０００５】
そこで、本発明は、前述したような従来技術の問題を解決するものであって、すなわち、本発明の目的は、ユーザーのワンアクションで再送用メッセージを簡単に準備するまたは準備して再送信することができるメッセージ送受信アプリケーションソフトウェアを提供することである。
【課題を解決するための手段】
【０００６】
本請求項１に係る発明は、ユーザー端末と他の端末との間でメッセージデータを送受信するメッセージ送受信アプリケーションソフトウェアであって、前記ユーザー端末において送信済みメッセージが選択されて再送ボタンが操作されたか否かを判定する再送操作有無判定ステップと、前記再送ボタンが操作されたとき、選択された送信済みメッセージのメッセージ本文データ、件名データ、宛先データ、添付ファイルデータを利用して新たに再送用メッセージを作成する再送用メッセージ作成ステップと、前記再送用メッセージを送信する再送信ステップとをユーザー端末に実行させる構成であることにより、前述した課題を解決するものである。
【０００７】
本請求項２に係る発明は、請求項１に記載されたメッセージ送受信アプリケーションソフトウェアの構成に加えて、前記再送用メッセージ作成ステップにおいて、転送ボタンが操作されたときの転送メッセージ作成処理を実行し、メッセージ本文データにおける送信済みメッセージの送信元情報、送信日時情報、件名情報および宛先情報についての削除を実行するとともに、件名データにおける転送を意味する文字情報についての削除を実行する構成であることにより、前述した課題をさらに解決するものである。
【０００８】
本請求項３に係る発明は、請求項１に記載されたメッセージ送受信アプリケーションソフトウェアの構成に加えて、前記再送用メッセージ作成ステップにおいて、返信ボタンが操作されたときの返信メッセージ作成処理を実行し、メッセージ本文データにおける送信済みメッセージの送信元情報、送信日時情報および引用の旨の情報表示についての削除を実行するとともに、件名データにおける返信を意味する文字情報についての削除を実行する構成であることにより、前述した課題をさらに解決するものである。
【０００９】
本請求項４に係る発明は、請求項１に記載されたメッセージ送受信アプリケーションソフトウェアの構成に加えて、前記再送用メッセージ作成ステップにおいて、選択された送信済みメッセージのメッセージ本文データ、件名データ、宛先データ、添付ファイルデータをそれぞれコピーして再送用メッセージのメッセージ本文データ、件名データ、宛先データ、添付ファイルデータとしてそれぞれペーストを実行する構成であることにより、前述した課題をさらに解決するものである。
【００１０】
本請求項５に係る発明は、請求項１乃至請求項４のいずれか１つに記載されたメッセージ送受信アプリケーションソフトウェアの構成に加えて、前記再送用メッセージ作成ステップの後に、再送用メッセージについて送信ボタンが操作されたか否かを判定する送信操作有無判定ステップをさらに有し、前記再送信ステップにおいて、送信ボタンが操作されたとき、再送用メッセージを送信する構成であることにより、前述した課題をさらに解決するものである。
【００１１】
本請求項６に係る発明は、請求項１乃至請求項５のいずれか１つに記載されたメッセージ送受信アプリケーションソフトウェアの構成に加えて、前記再送用メッセージ作成ステップにおいて、選択された送信済みメッセージがスレッド形式で表示されている場合、複数のメッセージのうち最初に送信された送信済みメッセージのメッセージ本文データ、件名データ、宛先データ、添付ファイルデータを利用して新たに再送用メッセージを作成する構成であることにより、前述した課題をさらに解決するものである。
【００１２】
本請求項７に係る発明は、ユーザー端末と他の端末との間で同一の相手と同一のウィンドウで対話する形式のチャットのメッセージデータを送受信するメッセージ送受信アプリケーションソフトウェアであって、前記ユーザー端末において送信済みメッセージが選択されて再送ボタンが操作されたか否かを判定する再送操作有無判定ステップと、前記再送ボタンが操作されたとき、選択された送信済みメッセージのメッセージデータを利用して新たに再送用メッセージを作成する再送用メッセージ作成ステップと、前記再送用メッセージを送信する再送信ステップとをユーザー端末に実行させる構成であることにより、前述した課題を解決するものである。
【００１３】
本請求項８に係る発明は、ユーザー端末と他の端末との間でメッセージデータを送受信するメッセージ送受信アプリケーションソフトウェアであって、前記ユーザー端末である人工知能スピーカ端末において送信済みメッセージが指定されてメッセージ再送の旨が入力されたか否かを判定する再送指示入力有無判定ステップと、前記メッセージ再送の旨が入力されたとき、指定された送信済みメッセージのメッセージデータを利用して新たに再送用メッセージを作成する再送用メッセージ作成ステップと、前記再送用メッセージを送信する再送信ステップとを人工知能スピーカ端末に実行させる構成であることにより、前述した課題を解決するものである。
【発明の効果】
【００１４】
本発明のメッセージ送受信アプリケーションソフトウェアは、ユーザー端末と他の端末との間でメッセージデータを送受信することができるばかりでなく、以下のような特有の効果を奏することができる。
【００１５】
本請求項１に係る発明のメッセージ送受信アプリケーションソフトウェアによれば、ユーザーが送信済みメッセージを選択して再送ボタンを操作するだけで送信済みメッセージの各データが利用されて再送用メッセージが作成されるため、ユーザーのワンアクションで再送用メッセージを簡単に準備するまたは準備して再送信することができる。
つまり、選択した送信済みメッセージと同一またはほぼ同じ内容で体裁の整った再送用メッセージを簡単に準備するまたは準備して再送信することができる。
【００１６】
本請求項２に係る発明のメッセージ送受信アプリケーションソフトウェアによれば、請求項１に係る発明が奏する効果に加えて、もともとある転送機能の転送メッセージ作成処理が利用されるとともに転送メッセージ作成処理によって付加される情報や体裁などが削除されるため、ユーザーは再送用メッセージを簡単に作成することができる。
【００１７】
本請求項３に係る発明のメッセージ送受信アプリケーションソフトウェアによれば、請求項１に係る発明が奏する効果に加えて、もともとある返信機能の返信メッセージ作成処理が利用されるとともに返信メッセージ作成処理によって付加される情報や体裁などが削除されるため、ユーザーは再送用メッセージを簡単に作成することができる。
【００１８】
本請求項４に係る発明のメッセージ送受信アプリケーションソフトウェアによれば、請求項１に係る発明が奏する効果に加えて、送信済みメッセージである元のメッセージ本文データ、件名データ、宛先データ、添付ファイルデータがそれぞれコピーされて新規の電子メールの再送用メッセージとしてそれぞれペーストされるため、ユーザーは再送用メッセージを簡単に作成することができる。
つまり、返信機能や転送機能の表示がないブラウザである場合であっても、ユーザーは再送用メッセージを簡単に作成することができる。
【００１９】
本請求項５に係る発明のメッセージ送受信アプリケーションソフトウェアによれば、請求項１乃至請求項４のいずれか１つに係る発明が奏する効果に加えて、ユーザーによる再送ボタンの操作および送信ボタンの操作のツーアクションによって再送信されるため、ユーザーは送信ボタンを操作する前に再送用メッセージの本文、件名、宛先、添付ファイルなどの詳細内容を確認・チェックすることができる。
【００２０】
本請求項６に係る発明のメッセージ送受信アプリケーションソフトウェアによれば、請求項１乃至請求項５のいずれか１つに係る発明が奏する効果に加えて、既に送信先相手とやりとりした場合であっても最初のメッセージのみを抽出してリセットした状態の再送用メッセージが作成されるため、ユーザーはテンプレートとして最初のメッセージを簡単に使い回すことができる。
【００２１】
本請求項７に係る発明のメッセージ送受信アプリケーションソフトウェアによれば、請求項１に係る発明が奏する効果と同様、チャット形式の場合であっても、ユーザーが送信済みメッセージを選択して再送ボタンを操作するだけで送信済みメッセージが利用されて再送用メッセージが作成されるため、ユーザーのワンアクションで再送用メッセージを簡単に準備するまたは準備して再送信することができる。
つまり、選択した送信済みメッセージと同一またはほぼ同じ内容で体裁の整った再送用メッセージを簡単に準備するまたは準備して再送信することができる。
【００２２】
本請求項８に係る発明のメッセージ送受信アプリケーションソフトウェアによれば、請求項１に係る発明が奏する効果と同様、人工知能スピーカ端末において送信済みメッセージを指定するとともにメッセージ再送の旨を入力するだけで送信済みメッセージが利用されて再送用メッセージが作成されて送信されるため、ユーザーのワンアクションで再送用メッセージを簡単に準備して再送信することができる。
つまり、指定した送信済みメッセージと同一またはほぼ同じ内容で体裁の整った再送用メッセージを簡単に準備して再送信することができる。
【図面の簡単な説明】
【００２３】
【図１】本発明の第１実施例であるメールブラウザアプリケーションを備えたメッセージ送受信システムを示す概念図。
【図２】本発明の第１実施例であるメールブラウザアプリケーションの動作を示すチャート図。
【図３】（Ａ）は転送メッセージ作成処理の一例を示す図、（Ｂ）は転送メッセージ作成処理を利用した本発明の再送用メッセージ作成ステップの処理の一例を示す図。
【図４】（Ａ）は返信メッセージ作成処理の一例を示す図、（Ｂ）は返信メッセージ作成処理を利用した本発明の再送用メッセージ作成ステップの処理の一例を示す図。
【図５】（Ａ）はメッセージのスレッドの一例を示す図、（Ｂ）はスレッドがある場合に本発明の再送用メッセージ作成ステップの処理の一例を示す図。
【図６】（Ａ）（Ｂ）は本発明の第２実施例であるユーザーのスマートフォン端末においてメッセージの再送を実行する際の様子を示す図。
【図７】本発明の第３実施例であるメッセージ送受信システムの概念図。
【図８】本発明の第３実施例であるメッセージ送受信システムの操作を示すチャート図。
【発明を実施するための形態】
【００２４】
本発明のメッセージ送受信アプリケーションソフトウェアは、ユーザー端末において送信済みメッセージが選択されて再送ボタンが操作されたか否かを判定する再送操作有無判定ステップと、再送ボタンが操作されたとき、選択された送信済みメッセージのメッセージ本文データ、件名データ、宛先データ、添付ファイルデータを利用して新たに再送用メッセージを作成する再送用メッセージ作成ステップと、再送用メッセージを送信する再送信ステップとをユーザー端末に実行させる構成であることにより、ユーザーのワンアクションで再送用メッセージを簡単に準備するまたは準備して再送信することができるものであれば、その具体的な実施態様は、如何なるものであっても構わない。
また、本発明のメッセージ送受信アプリケーションソフトウェアは、同一の相手と同一のウィンドウで対話する形式のチャットのメッセージデータを送受信するものであり、ユーザー端末において送信済みメッセージが選択されて再送ボタンが操作されたか否かを判定する再送操作有無判定ステップと、再送ボタンが操作されたとき、選択された送信済みメッセージのメッセージデータを利用して新たに再送用メッセージを作成する再送用メッセージ作成ステップと、再送用メッセージを送信する再送信ステップとをユーザー端末に実行させる構成であることにより、ユーザーのワンアクションで再送用メッセージを簡単に準備するまたは準備して再送信することができるものであれば、その具体的な実施態様は、如何なるものであっても構わない。
さらに、本発明のメッセージ送受信アプリケーションソフトウェアは、ユーザー端末である人工知能スピーカ端末において送信済みメッセージが指定されてメッセージ再送の旨が入力されたか否かを判定する再送指示入力有無判定ステップと、メッセージ再送の旨が入力されたとき、指定された送信済みメッセージのメッセージデータを利用して新たに再送用メッセージを作成する再送用メッセージ作成ステップと、再送用メッセージを送信する再送信ステップとを人工知能スピーカ端末に実行させる構成であることにより、ユーザーのワンアクションで再送用メッセージを簡単に準備して再送信することができるものであれば、その具体的な実施態様は、如何なるものであっても構わない。
【００２５】
例えば、ユーザー端末は、デスクトップ型パーソナルコンピュータ端末、ノート型パーソナルコンピュータ端末、スマートフォン端末、タブレット端末、人工知能制御手段を有する人工知能スピーカ端末など、メッセージ送受信アプリケーションソフトウェアを実行するものであって、所謂インターネットである広域ネットワーク、ローカルネットワーク、電話回線などを含む通信ネットワークにより他の端末と直接またはサーバを介して間接的に接続してメッセージデータや画像データを送受信するものであれば如何なるものであっても構わない。
また、メッセージ送受信アプリケーションソフトウェアの概念には、メッセージ送受信アプリケーションソフトウェア自体だけでなく、メッセージ送受信アプリケーションソフトウェアの機能を拡張するメッセージ送受信アプリケーションソフトウェア追加用アドオンプログラム（以下、追加用アドオンプログラム）が含まれるものとする。
さらに、メッセージ送受信アプリケーションソフトウェアは、電子メールを送受信するものや、同一の相手に対して同一のウィンドウで順次対話が追加表示される所謂チャット形式のものなど、メッセージデータを送受信するものであれば如何なるものであっても構わない。
【実施例１】
【００２６】
以下に、本発明のメッセージ送受信アプリケーションソフトウェアの第１実施例であるメールブラウザアプリケーションについて、図１乃至図５（Ｂ）に基づいて説明する。
ここで、図１は、本発明の第１実施例であるメールブラウザアプリケーションを備えたメッセージ送受信システム１００を示す概念図であり、図２は、本発明の第１実施例であるメールブラウザアプリケーションの動作を示すチャート図であり、図３（Ａ）は、転送メッセージ作成処理の一例を示す図であり、図３（Ｂ）は、転送メッセージ作成処理を利用した本発明の再送用メッセージ作成ステップＳ２の処理の一例を示す図であり、図４（Ａ）は、返信メッセージ作成処理の一例を示す図であり、図４（Ｂ）は、返信メッセージ作成処理を利用した本発明の再送用メッセージ作成ステップＳ２の処理の一例を示す図であり、図５（Ａ）は、メッセージのスレッドの一例を示す図であり、図５（Ｂ）は、スレッドがある場合に本発明の再送用メッセージ作成ステップＳ２の処理の一例を示す図である。
【００２７】
本発明のメッセージ送受信アプリケーションソフトウェアを有した第１実施例であるメッセージ送受信システム１００は、図１に示すように、ユーザーの端末の一例であるコンピュータ端末１１０と、相手側の他の端末であるノート型コンピュータ端末１２０と、サーバ１３０とを備えている。
ユーザーのコンピュータ端末１１０には、本発明のメッセージ送受信アプリケーションソフトウェアの一例であるメールブラウザアプリケーションがインストールされている。
ユーザーのコンピュータ端末１１０は、メールブラウザアプリケーションを用いることにより、サーバ１３０を介して一例として相手側のノート型コンピュータ端末１２０との間において、メッセージデータの一例である電子メールの送受信を行うことができるように構成されている。
【００２８】
ユーザーのコンピュータ端末１１０において、メールブラウザアプリケーションを起動させると、ユーザーのコンピュータ端末１１０の表示部１１１にメールブラウザ１１２が表示される。
そして、ユーザーがメールブラウザ１１２における「送信済み」の項目を選択する操作をすることにより、メールブラウザ１１２には、例えば、送信済みトレイの中身が表示される。
【００２９】
さらに、送信済みトレイの中において１つの送信済みメッセージ１１３を選択すると、選択された送信済みメッセージ１１３の詳細および再送ボタン１１４が表示されるように構成されている。
なお、本発明の再送ボタン１１４を有しないメールブラウザ１１２である場合、ユーザーのコンピュータ端末１１０に追加用アドオンプログラムをインストールすることにより、本発明の再送ボタン１１４がメールブラウザ１１２に表示されるようになる。
【００３０】
図１に示すように、メールブラウザ１１２には、送信済みメッセージ１１３のメッセージ本文データ１１３ａ、件名データ１１３ｂ、宛先データ１１３ｃ、添付ファイルデータ１１３ｄ（ある場合のみ表示）および再送ボタン１１４が表示されている。
さらに、一例として、転送ボタン１１７および返信ボタン１１８が表示されている。
そして、本実施例において、送信済みメッセージ１１３が指定された状態で再送ボタン１１４が押されると、再送用メッセージ１１５（図３（Ｂ）参照）が、送信済みメッセージ１１３を利用して作成されるまたは作成されて再送信されるように構成されている。
これにより、ユーザーが送信済みメッセージ１１３を選択して再送ボタン１１４を操作するだけで送信済みメッセージ１１３の各データが利用されて再送用メッセージ１１５が作成されるまたは作成されて再送信される。
その結果、ユーザーのワンアクションで再送用メッセージ１１５を簡単に準備するまたは準備して再送信することができる。
つまり、選択した送信済みメッセージ１１３と同一またはほぼ同じ内容で体裁の整った再送用メッセージ１１５を簡単に作成するまたは作成して再送信することができる。
【００３１】
再送信メッセージ作成処理についてのメールブラウザアプリケーションの動作について詳しく説明する。
図２に示すように、ステップＳ１では、再送操作有無判定ステップとして、ユーザーのコンピュータ端末１１０において送信済みメッセージ１１３が選択されて再送ボタン１１４が操作されたか否かを、ユーザーのコンピュータ端末１１０の制御部（メールブラウザアプリケーション）が判定する。
再送ボタン１１４が操作されたと判定した場合はステップＳ２へ進み、他方、まだ操作されていないと判定した場合はステップＳ１を繰り返す。
【００３２】
ステップＳ２では、再送用メッセージ作成ステップとして、選択された送信済みメッセージ１１３のメッセージ本文データ１１３ａ、件名データ１１３ｂ、宛先データ１１３ｃ、添付ファイルデータ１１３ｄ（ある場合のみ）を利用して新たに再送用メッセージ１１５を、ユーザーのコンピュータ端末１１０の制御部（メールブラウザアプリケーション）が作成する。
【００３３】
再送用メッセージ１１５の詳しい作成の仕方については、転送メッセージ作成処理を利用して作成、返信メッセージ作成処理を利用して作成、送信済みメッセージ１１３の各データをそれぞれコピーして作成のいずれでもよい。
例えば、転送メッセージ作成処理を利用して作成する場合について説明する。
図１に示すメールブラウザ１１２の転送ボタン１１７をユーザーが操作すると、図３（Ａ）に示す転送用メッセージＦＤように、転送メッセージ作成処理が実行される。
【００３４】
転送メッセージ作成処理として具体的には、宛先は空欄になり、件名データにおける転送を意味する文字情報ＦＤ５の一例として「Fwd:」が付加され、転送用メッセージＦＤのメッセージ本文において送信済みメッセージ１１３の送信元情報ＦＤ１、送信日時情報ＦＤ２、件名情報ＦＤ３および宛先情報ＦＤ４が付加される。
本実施例では、再送ボタン１１４が操作されたとき、再送用メッセージ作成ステップＳ２において、先ず、図３（Ａ）のようなメッセージを表示させずに転送メッセージ作成処理を行い、転送用メッセージＦＤのメッセージ本文データにおける送信済みメッセージ１１３の送信元情報ＦＤ１、送信日時情報ＦＤ２、件名情報ＦＤ３および宛先情報ＦＤ４についての削除を実行するとともに、件名データにおける転送を意味する文字情報ＦＤ５である「Fwd:」についての削除を実行する。
【００３５】
さらに、選択された送信済みメッセージ１１３の宛先データ１１３ｃをコピーして再送用メッセージ１１５の宛先データとしてペーストを実行してメールブラウザ１１２に表示させる。
すると、図３（Ｂ）に示すように、新規の再送用メッセージ１１５となる。
これにより、もともとある転送機能の転送メッセージ作成処理が利用されるとともに転送メッセージ作成処理によって付加される情報や体裁などが削除される。
その結果、ユーザーは再送用メッセージ１１５を簡単に作成することができる。
なお、送信済みメッセージ１１３の宛先のＣＣ（カーボンコピー）やＢＣＣ（ブラインドカーボンコピー）についても新規の再送用メッセージ１１５に反映されるのは勿論である。
【００３６】
また、例えば、返信メッセージ作成処理を利用して作成する場合について説明する。
図１に示すメールブラウザ１１２の返信ボタン１１８をユーザーが操作すると、図４（Ａ）に示す返信用メッセージＲＴように、返信メッセージ作成処理が実行される。
返信メッセージ作成処理として具体的には、件名データにおける返信を意味する文字情報ＲＴ４の一例として「Re:」が付加され、返信用メッセージＲＴのメッセージ本文において送信済みメッセージ１１３の送信元情報ＲＴ１、送信日時情報ＲＴ２および引用の旨の情報表示ＲＴ３が付加される。
本実施例では、返信ボタン１１８が操作されたとき、再送用メッセージ作成ステップＳ２において、先ず、図４（Ａ）のようなメッセージを表示させずに返信メッセージ作成処理を行い、返信用メッセージＲＴのメッセージ本文データにおける送信済みメッセージ１１３の送信元情報ＲＴ１、送信日時情報ＲＴ２および引用の旨の情報表示ＲＴ３についての削除を実行するとともに、件名データにおける返信を意味する文字情報ＲＴ４である「Re:」についての削除を実行する。
【００３７】
さらに、選択された送信済みメッセージ１１３に添付ファイルデータ１１３ｄがある場合は、選択された送信済みメッセージ１１３の添付ファイルデータ１１３ｄをコピーして再送用メッセージ１１５の添付ファイルデータとしてペーストを実行してメールブラウザ１１２に表示させる。
宛先のＣＣ（カーボンコピー）やＢＣＣ（ブラインドカーボンコピー）についても同様である。
すると、図４（Ｂ）に示すように、新規の再送用メッセージ１１５となる。
これにより、もともとある返信機能の返信メッセージ作成処理が利用されるとともに返信メッセージ作成処理によって付加される情報や体裁などが削除される。
その結果、ユーザーは再送用メッセージ１１５を簡単に作成することができる。
【００３８】
さらに、例えば、送信済みメッセージ１１３の各データをそれぞれコピーして作成する場合について説明する。
図１に示すメールブラウザ１１２の再送ボタン１１４をユーザーが操作すると、再送用メッセージ作成ステップＳ２において、ユーザーのコンピュータ端末１１０の制御部（メールブラウザアプリケーション）が、選択された送信済みメッセージ１１３のメッセージ本文データ１１３ａ、件名データ１１３ｂ、宛先データ１１３ｃ、添付ファイルデータ１１３ｄ（ある場合のみ）をそれぞれコピーして新規のメッセージウィンドウで再送用メッセージ１１５のメッセージ本文データ、件名データ、宛先データ、添付ファイルデータ（ある場合のみ）としてそれぞれペーストを実行する。
宛先のＣＣ（カーボンコピー）やＢＣＣ（ブラインドカーボンコピー）についても同様である。
【００３９】
これにより、送信済みメッセージ１１３である元のメッセージ本文データ１１３ａ、件名データ１１３ｂ、宛先データ１１３ｃ、添付ファイルデータ１１３ｄがそれぞれコピーされて新規の電子メールの再送用メッセージ１１５としてそれぞれペーストされる。
その結果、ユーザーは再送用メッセージ１１５を簡単に作成することができる。
つまり、返信機能や転送機能の表示がないブラウザである場合であっても、ユーザーは再送用メッセージ１１５を簡単に作成することができる。
【００４０】
ステップＳ３では、送信操作有無判定ステップとして、再送用メッセージ１１５について送信ボタン１１６が操作されたか否かを、ユーザーのコンピュータ端末１１０の制御部（メールブラウザアプリケーション）が判定する。
送信ボタン１１６の操作ありと判定した場合はステップＳ４へ進み、他方、まだないと判定した場合はステップＳ３を繰り返す。
【００４１】
ステップＳ４では、再送信ステップとして、ユーザーのコンピュータ端末１１０の制御部（メールブラウザアプリケーション）が再送用メッセージ１１５を送信する。
これにより、上述したように、ユーザーが送信済みメッセージ１１３を選択して再送ボタン１１４を操作するだけで送信済みメッセージ１１３の各データが利用されて再送用メッセージ１１５が作成されるまたは作成されて再送信される。
その結果、ユーザーのワンアクションで再送用メッセージ１１５を簡単に準備するまたは準備して再送信することができる。
【００４２】
なお、本実施例では、送信操作有無判定ステップＳ３において、送信ボタン１１６の操作の有無を判定したが、判定せずに再送信ステップＳ４を実行する構成でもよい。
送信操作有無判定ステップＳ３で送信ボタン１１６の操作の有無を判定することにより、ユーザーが再送信前の段階で、再送用メッセージ１１５の本文、宛先、添付ファイルなどの内容をチェック・確認することができる。
他方、送信操作有無判定ステップＳ３を省略することにより、再送用メッセージ作成ステップＳ２において再送用メッセージ１１５を作成し、再送信ステップＳ４において再送用メッセージ１１５を送信する構成となり、ユーザーのワンアクションで再送用メッセージ１１５を簡単に準備して送信することができる。
【００４３】
また、図５（Ａ）に示すように、メールブラウザ１１２において、選択された送信済みメッセージ１１３がスレッド形式で表示されている場合、複数のメッセージのやりとりが表示される。
再送ボタン１１４は、メッセージの件名の近くに表示されている。
本実施例では、再送用メッセージ作成ステップＳ２において、選択された送信済みメッセージ１１３がスレッド形式で表示されている場合、複数のメッセージのうち最初に送信された送信済みメッセージ１１３のメッセージ本文データ１１３ａ、件名データ１１３ｂ、宛先データ１１３ｃ、添付ファイルデータ１１３ｄを利用して新たに再送用メッセージ１１５を作成するように構成されている。
【００４４】
つまり、ユーザーが再送ボタン１１４を操作したとする。
すると、図５（Ｂ）に示すように、複数のメッセージのうち最初に送信された送信済みメッセージ１１３を利用した新規の再送用メッセージ１１５となる。
これにより、既に送信先相手とやりとりした場合であっても最初のメッセージのみを抽出してリセットした状態の再送用メッセージ１１５が作成される。
その結果、ユーザーは最初のメッセージをテンプレートとして簡単に使い回すことができる。
【００４５】
なお、本実施例では、送信済みメッセージ１１３を元にして新規の再送用メッセージ１１５が作成される構成について説明したが、メールブラウザ１１２上に既にあるメールメッセージを選択して再送ボタンを操作すれば、選択されたメールメッセージを元に新規の再送用メッセージ１１５が作成される。
例えば、既にあるメールメッセージの一例として受信トレイ内の受信済みメッセージを元に新規の再送用メッセージ１１５が作成される。
【００４６】
このようにして得られた本発明のメッセージ送受信アプリケーションソフトウェアの第１実施例であるメールブラウザアプリケーションは、ユーザー端末の一例であるユーザーのコンピュータ端末１１０において送信済みメッセージ１１３が選択されて再送ボタン１１４が操作されたか否かを判定する再送操作有無判定ステップＳ１と、再送ボタン１１４が操作されたとき、選択された送信済みメッセージ１１３のメッセージ本文データ１１３ａ、件名データ１１３ｂ、宛先データ１１３ｃ、添付ファイルデータ１１３ｄを利用して新たに再送用メッセージ１１５を作成する再送用メッセージ作成ステップＳ２と、再送用メッセージ１１５を送信する再送信ステップＳ４とをユーザーのコンピュータ端末１１０に実行させる構成であることにより、ユーザーのワンアクションで、選択した送信済みメッセージ１１３と同一またはほぼ同じ内容で体裁の整った再送用メッセージ１１５を簡単に準備するまたは準備して再送信することができる。
【００４７】
さらに、再送用メッセージ作成ステップＳ２において、転送ボタン１１７が操作されたときの転送メッセージ作成処理を実行し、メッセージ本文データにおける送信済みメッセージ１１３の送信元情報ＦＤ１、送信日時情報ＦＤ２、件名情報ＦＤ３および宛先情報ＦＤ４についての削除を実行するとともに、件名データにおける転送を意味する文字情報ＦＤ５についての削除を実行する構成であることにより、ユーザーは再送用メッセージ１１５を簡単に作成することができる。
【００４８】
また、再送用メッセージ作成ステップＳ２において、返信ボタン１１８が操作されたときの返信メッセージ作成処理を実行し、メッセージ本文データにおける送信済みメッセージ１１３の送信元情報ＲＴ１、送信日時情報ＲＴ２および引用の旨の情報表示ＲＴ３についての削除を実行するとともに、件名データにおける返信を意味する文字情報ＲＴ４についての削除を実行する構成であることにより、ユーザーは再送用メッセージ１１５を簡単に作成することができる。
【００４９】
さらに、再送用メッセージ作成ステップＳ２において、選択された送信済みメッセージ１１３のメッセージ本文データ１１３ａ、件名データ１１３ｂ、宛先データ１１３ｃ、添付ファイルデータ１１３ｄをそれぞれコピーして再送用メッセージ１１５のメッセージ本文データ、件名データ、宛先データ、添付ファイルデータとしてそれぞれペーストを実行する構成であることにより、メールブラウザ１１２に返信機能や転送機能の表示がない構成である場合であっても、ユーザーは再送用メッセージ１１５を簡単に作成することができる。
【００５０】
また、本発明のメッセージ送受信アプリケーションソフトウェアの第１実施例であるメールブラウザアプリケーションは、再送用メッセージ作成ステップＳ２の後に、再送用メッセージ１１５について送信ボタン１１６が操作されたか否かを判定する送信操作有無判定ステップＳ３をさらに有し、再送信ステップＳ４において、送信ボタン１１６が操作されたとき、再送用メッセージ１１５を送信する構成であることにより、ユーザーは送信ボタン１１６を操作する前に再送用メッセージ１１５の本文、件名、宛先、添付ファイルなどの詳細内容を確認・チェックすることができる。
【００５１】
さらに、再送用メッセージ作成ステップＳ２において、選択された送信済みメッセージ１１３がスレッド形式で表示されている場合、複数のメッセージのうち最初に送信された送信済みメッセージ１１３のメッセージ本文データ１１３ａ、件名データ１１３ｂ、宛先データ１１３ｃ、添付ファイルデータ１１３ｄを利用して新たに再送用メッセージ１１５を作成する構成であることにより、既に送信先相手とやりとりした場合であってもユーザーはテンプレートとして最初のメッセージを簡単に使い回すことができるなど、その効果は甚大である。
【実施例２】
【００５２】
続いて、本発明のメッセージ送受信アプリケーションソフトウェアの第２実施例であるチャットアプリケーションについて、図６（Ａ）および図６（Ｂ）に基づいて説明する。
ここで、図６（Ａ）は、本発明の第２実施例であるユーザーのスマートフォン端末２１０においてメッセージの再送を実行する際に送信済みメッセージ２１３を選択したときの様子を示す図であり、図６（Ｂ）は、再送ボタン２１４を操作して再送用メッセージ２１５が作成されたときの様子を示す図である。
第２実施例のメッセージ送受信アプリケーションソフトウェアは、第１実施例のメッセージ送受信アプリケーションソフトウェアの電子メールの送信用メッセージデータがウィンドウ毎に表示される形式をチャットのメッセージデータが同一の相手と同一のウィンドウで対話する形式に変更したものであり、多くの要素について第１実施例のメッセージ送受信アプリケーションソフトウェアと共通するので、共通する事項については詳しい説明を省略し、下２桁が共通する２００番台の符号を付すのみとする。
【００５３】
図６（Ａ）に示すように、ユーザー端末の一例であるスマートフォン端末２１０の表示部２１１には、メッセージ送受信アプリケーションソフトウェアの一例であるチャットアプリケーションのトーク画面２１２が表示されている。
トーク画面２１２には、ユーザーである営業担当者と相手側のＡ社伊藤さんとのやりとりのメッセージが表示されている。
ここで、ユーザーである営業担当者は、タップ操作によって送信済みメッセージ２１３を選択する。
【００５４】
すると、メニューウィンドウ２１２ａが表示される。
ユーザーである営業担当者は、メニューウィンドウ２１２ａの中からタップ操作によって再送ボタン２１４を選択して操作する。
すると、再送操作有無判定ステップＳ１において、ユーザーのスマートフォン端末２１０において送信済みメッセージ２１３が選択されて再送ボタン２１４が操作されたと判定される。
【００５５】
そして、図６（Ｂ）に示すように、再送用メッセージ作成ステップＳ２として、選択された送信済みメッセージ２１３のメッセージデータを利用して新たに再送用メッセージ２１５が作成される。
次に、送信操作有無判定ステップＳ３として、再送用メッセージ２１５について送信ボタン２１６が操作されたか否かが判定される。
ユーザーが送信ボタン２１６を操作したとき、再送信ステップＳ４として、再送用メッセージ２１５が送信される。
【００５６】
なお、実施例１と同様、送信操作有無判定ステップＳ３を省略して、再送ボタン２１４の操作のワンタッチだけで、再送用メッセージ２１５が作成されて送信されるように構成してもよい。
また、再送ボタン２１４が操作されたとき、他の送信済みメッセージや送信済み添付ファイルが１つまたは複数形式で選択自在になり、選択後に送信ボタン２１６が操作され、選択された全てのメッセージおよび添付ファイルが再送信されるように構成してもよい。
これにより、ユーザーのワンアクションで再送用メッセージ２１５を簡単に準備するまたは準備して再送信することができる。
【００５７】
このようにして得られた本発明のメッセージ送受信アプリケーションソフトウェアの第２実施例であるチャットアプリケーションは、ユーザー端末の一例であるスマートフォン端末２１０において送信済みメッセージ２１３が選択されて再送ボタン２１４が操作されたか否かを判定する再送操作有無判定ステップＳ１と、再送ボタン２１４が操作されたとき、選択された送信済みメッセージ２１３のメッセージデータを利用して新たに再送用メッセージ２１５を作成する再送用メッセージ作成ステップＳ２と、再送用メッセージ２１５を送信する再送信ステップＳ４とをユーザー端末に実行させる構成であることにより、ユーザーのワンアクションで再送用メッセージ２１５を簡単に準備するまたは準備して再送信することができるなど、その効果は甚大である。
【実施例３】
【００５８】
続いて、本発明のメッセージ送受信アプリケーションソフトウェアを有した第３実施例であるメッセージ送受信システム３００について、図７および図８に基づいて説明する。
ここで、図７は、本発明の第３実施例であるメッセージ送受信システム３００の概念図であり、図８は、本発明の第３実施例であるメッセージ送受信システム３００の操作を示すチャート図である。
第３実施例のメッセージ送受信システム３００は、第１実施例のメッセージ送受信システム１００のユーザーのコンピュータ端末１１０を人工知能スピーカ端末３１０に変更したものであり、多くの要素について第１実施例のメッセージ送受信システム１００と共通するので、共通する事項については詳しい説明を省略し、下２桁が共通する３００番台の符号を付すのみとする。
【００５９】
本発明のメッセージ送受信アプリケーションソフトウェアを有した第１実施例であるメッセージ送受信システム３００は、図７に示すように、ユーザーの端末の一例である人工知能スピーカ端末３１０と、相手側の他の端末であるノート型コンピュータ端末３２０と、サーバ３３０とを備えている。
ユーザーの人工知能スピーカ端末３１０には、本発明のメッセージ送受信アプリケーションソフトウェアがインストールされている。
【００６０】
人工知能スピーカ端末３１０は、スピーカと、マイクと、制御部と、記憶部と、学習機能を有する人工知能制御手段と、通信手段とを備えている。
ユーザーが、人工知能スピーカ端末３１０に対して、送信済みメッセージの件名を、マイクを介して音声で入力するとともにメッセージ再送の旨を入力する。
例えば、『送信済みの件名「セミナーのご案内」のメールを再送信して！』の旨を音声で入力する。
すると、指定された送信済みメッセージが再送信されるように構成されている。
【００６１】
再送信メッセージ作成処理の動作について詳しく説明する。
図８に示すように、ステップＳ１１では、再送指示入力有無判定ステップとして、ユーザー端末である人工知能スピーカ端末３１０において送信済みメッセージが指定されてメッセージ再送の旨が入力されたか否かを、ユーザーの人工知能スピーカ端末３１０の制御部（メッセージ送受信アプリケーション）が判定する。
ここで、人工知能スピーカ端末３１０の制御部（メッセージ送受信アプリケーション）は、人工知能制御手段を用いてマイクからの入力データの言葉を形態素解析または分かち書きルールで区切って音声入力者の意図を把握するとともに意図にとって意味のある単語を把握し、把握した内容に基づいて、送信済みメッセージが指定されてメッセージ再送の旨が入力されたか否かをそれぞれ判定するように構成されている。
送信済みメッセージの指定あり、および、メッセージ再送の旨の入力ありと判定した場合はステップＳ１２へ進み、他方、まだないと判定した場合はステップＳ１１を繰り返す。
なお、送信済みメッセージの指定およびメッセージ再送の旨の入力のいずれか一方のみがあったと判定した場合は、ユーザーに対して他方を尋ねるまたは両方を再度入力するように音声で求めるように構成してもよい。
【００６２】
ステップＳ１２では、再送用メッセージ作成ステップとして、人工知能スピーカ端末３１０の制御部（メッセージ送受信アプリケーション）が、指定された送信済みメッセージのメッセージデータを利用して新たに再送用メッセージ（図示せず）を作成する。
ステップＳ１３では、再送信ステップとして、人工知能スピーカ端末３１０の制御部（メッセージ送受信アプリケーション）が、再送用メッセージ（図示せず）を送信する。
これにより、人工知能スピーカ端末３１０において送信済みメッセージを指定するとともにメッセージ再送の旨を入力するだけで送信済みメッセージが利用されて再送用メッセージが作成されて送信される。
その結果、ユーザーのワンアクションで再送用メッセージを簡単に準備して再送信することができる。
【００６３】
このようにして得られた本発明の第３実施例であるメッセージ送受信アプリケーションソフトウェアは、ユーザー端末である人工知能スピーカ端末３１０において送信済みメッセージが指定されてメッセージ再送の旨が入力されたか否かを判定する再送指示入力有無判定ステップＳ１１と、メッセージ再送の旨が入力されたとき、指定された送信済みメッセージのメッセージデータを利用して新たに再送用メッセージを作成する再送用メッセージ作成ステップＳ１２と、再送用メッセージを送信する再送信ステップＳ１３とをユーザーの人工知能スピーカ端末３１０に実行させる構成であることにより、ユーザーのワンアクションで再送用メッセージを簡単に準備して再送信することができるなど、その効果は甚大である。
【符号の説明】
【００６４】
１００、            ３００  ・・・  メッセージ送受信システム
１１０                      ・・・  コンピュータ端末（ユーザー端末）
２１０            ・・・  スマートフォン端末（ユーザー端末）
３１０  ・・・  人工知能スピーカ端末（ユーザー端末）
１１１、  ２１１            ・・・  表示部
１１２                      ・・・  メールブラウザ
２１２            ・・・  トーク画面
２１２ａ          ・・・  メニューウィンドウ
１１３、  ２１３            ・・・  送信済みメッセージ
１１３ａ                    ・・・  メッセージ本文データ
１１３ｂ                    ・・・  件名データ
１１３ｃ                    ・・・  宛先データ
１１３ｄ                    ・・・  添付ファイルデータ
１１４、  ２１４            ・・・  再送ボタン
１１５、  ２１５            ・・・  再送用メッセージ
１１６、  ２１６            ・・・  送信ボタン
１１７                      ・・・  転送ボタン
１１８                      ・・・  返信ボタン
１２０、            ３２０  ・・・  ノート型コンピュータ端末（他の端末）
１３０、            ３３０  ・・・  サーバ
ＦＤ  ・・・  転送用メッセージ
ＦＤ１・・・  転送処理実行後のメッセージ本文データにおける送信済みメッセージの送信元情報
ＦＤ２・・・  転送処理実行後のメッセージ本文データにおける送信済みメッセージの送信日時情報
ＦＤ３・・・  転送処理実行後のメッセージ本文データにおける送信済みメッセージの件名情報
ＦＤ４・・・  転送処理実行後のメッセージ本文データにおける送信済みメッセージの宛先情報
ＦＤ５・・・  転送処理実行後の件名データにおける転送を意味する文字情報
ＲＴ  ・・・  返信用メッセージ
ＲＴ１・・・  返信処理実行後のメッセージ本文データにおける送信済みメッセージの送信元情報
ＲＴ２・・・  返信処理実行後のメッセージ本文データにおける送信済みメッセージの送信日時情報
ＲＴ３・・・  返信処理実行後のメッセージ本文データにおける送信済みメッセージの引用の旨の情報表示
ＲＴ４・・・  返信処理実行後の件名データにおける返信を意味する文字情報
【図１】
2020187402.tif 000003
【図２】
2020187402.tif 000004
【図３】
2020187402.tif 000005
【図４】
2020187402.tif 000006
【図５】
2020187402.tif 000007
【図６】
2020187402.tif 000008
【図７】
2020187402.tif 000009
【図８】
2020187402.tif 000010